(57)【特許請求の範囲】
【請求項１】
容器の開口部に設けられ、内容物の１回の排出量を定量とし、且つその定量値を可変とする可変定量栓において、
容器の開口部に被着され、且つ内容物の排出口を備えるカバーキャップと、
カバーキャップに覆われた容器の開口部内に設けられ、開口部の内壁側から中央側へと起立せしめられて上方小径連通口を備えるテーパ筒と、
カバーキャップにおけるテーパ筒の連通口まわりに臨む部分にカバーキャップの外から挿着され、テーパ筒の連通口まわりに開口する計量枡とを有し、
計量枡はカバーキャップの外からカバーキャップに対して上下動せしめられ、テーパ筒との間の挿入深度により定まる枡量を変更可能とし、
カバーキャップの一部に設けた排出口まわりに、該カバーキャップとヒンジを介して一体結合され、該排出口を開閉できる開閉蓋を設けてなることを特徴とする可変定量栓。
【請求項２】
前記計量枡をカバーキャップに設けたスライド孔に挿着し、該計量枡の外面の軸方向複数位置に設けた凹凸部をスライド孔に設けた凹凸部に順次係合させて多段階的に上下動可能とし、
前記カバーキャップの天面部に設けたスライド孔の上下両エッジに、計量枡の外周面に密着するシール部を設けてなる請求項１記載の可変定量栓。
【発明の詳細な説明】
【０００１】
【発明の属する技術分野】
本発明は、洗剤、洗剤助剤、医薬品、食品等の粉末、顆粒状の内容物を収納した容器の開口部に設けられ、内容物の１回の排出量を定量とし、且つその定量値を可変とする可変定量栓に関する。
【０００２】
【従来の技術】
従来の可変定量栓として、実公平4-54938 号公報に記載のもの（従来技術１）、実公平6-35954 号公報に記載のもの（従来技術２）がある。
【０００３】
（従来技術１）
従来技術１は、カバーキャップに覆われる容器の開口部内にテーパ筒と計量筒体を内挿し、計量筒体を弾性反転機構により上下動させ、計量筒体とテーパ筒との間隙を変化させることにより、この間隙により定まる排出定量値を可変とするものである。
【０００４】
（従来技術２）
従来技術２は、カバーキャップに覆われる容器の開口部内に、複数に区画された計量室を設け、カバーキャップを回動させて、カバーキャップの振出口を、必要量の内容物を収納している計量室に連通させ、必要量の内容物を取出し可能とするものである。
【０００５】
【発明が解決しようとする課題】
然しながら、従来技術には以下の問題点がある。
（従来技術１）
▲１▼カバーキャップを外さないと、計量操作できない。
【０００６】
▲２▼排出定量値の計量は、計量筒体が反転される前と後の２段階だけであり、微調整できない。
【０００７】
（従来技術２）
▲１▼カバーキャップの回動量により排出定量値の変化を見るものであり、排出定量値の計量変化を実感としてつかみにくい。
【０００８】
本発明の課題は、可変定量栓において、カバーキャップを外すことなく排出定量値を計量操作でき、排出定量値の計量を微調整でき、しかも、排出定量値の計量変化を実感としてつかみ易いものとすることにある。
【０００９】
【課題を解決するための手段】
請求項１に記載の本発明は、容器の開口部に設けられ、内容物の１回の排出量を定量とし、且つその定量値を可変とする可変定量栓において、容器の開口部に被着され、且つ内容物の排出口を備えるカバーキャップと、カバーキャップに覆われた容器の開口部内に設けられ、開口部の内壁側から中央側へと起立せしめられて上方小径連通口を備えるテーパ筒と、カバーキャップにおけるテーパ筒の連通口まわりに臨む部分にカバーキャップの外から挿着され、テーパ筒の連通口まわりに開口する計量枡とを有し、計量枡はカバーキャップの外からカバーキャップに対して上下動せしめられ、テーパ筒との間の挿入深度により定まる枡量を変更可能とし、カバーキャップの一部に設けた排出口まわりに、該カバーキャップとヒンジを介して一体結合され、該排出口を開閉できる開閉蓋を設けてなるようにしたものである。
【００１５】
【発明の実施の形態】
図１は可変定量栓の小計量状態を示す模式図、図２は可変定量栓の大計量状態を示す模式図、図３は可変定量栓の使用状態を示す模式図、図４は可変定量栓を示す模式図、図５はテーパ筒を示す模式図、図６は計量枡を示す模式図である。
【００１６】
可変定量栓１０は、図１、図４に示す如く、洗剤等の粉末、顆粒状の内容物を収納した容器１の開口部１Ａに設けられ、内容物の１回の排出量を定量とし、且つその定量値を可変とする。
【００１７】
可変定量栓１０は、カバーキャップ１１と、テーパ筒２１と、計量枡３１とを有して構成される。
【００１８】
カバーキャップ１１は、図４に示す如く、樹脂成形体からなり、容器１の開口部１Ａまわりに螺着もしくは嵌着される外装筒部１１Ａと、開口部１Ａを覆う天面部１１Ｂとを備える。カバーキャップ１１は、天面部１１Ｂの中央に計量枡３１のためのスライド孔１２を備えるとともに、天面部１１Ｂの前縁側に内容物の排出口１３を備える。
【００１９】
このとき、カバーキャップ１１は、排出口１３まわりにヒンジ１４を介して一体結合（一体成形）される開閉蓋１５を有している。開閉蓋１５は、カバーキャップ１１の天面部１１Ｂの外縁に設けられる突起状係止部１６に係脱できる凹状係止部１７を備え、開閉蓋１５の閉じ状態を維持可能としている。開閉蓋１５は、先端の突状操作部１８に加える開き操作により開かれる。
【００２０】
テーパ筒２１は、図５に示す如く、樹脂成形体からなり、カバーキャップ１１に覆われた容器１の開口部１Ａの内周部に嵌着される内装筒部２１Ａと、内装筒部２１Ａの上端に設けられてカバーキャップ１１により保持されるフランジ部２１Ｂと、内装筒部２１Ａの下端（開口部１１Ａの内壁側）から開口部１１Ａの中央側へと起立せしめられて上方小径連通口２２を備えるテーパ筒部２１Ｃとを備える。
【００２１】
計量枡３１は、図６に示す如く、樹脂成形体からなり、カバーキャップ１１の天面部１１Ｂの中央で、テーパ筒２１の連通口２２まわりに臨む前述したスライド孔１２に、カバーキャップ１１の外からスライド自在に挿着される有底筒状体であり、テーパ筒２１の連通口２２まわりに開口する。計量枡３１は、スライド孔１２に摩擦接触して無段階連続的に上下動し、もしくは計量枡３１の外面の軸方向複数位置に設けた凹部３２Ａ〜３２Ｃ（もしくは凸部）をスライド孔１２に設けた凸部３３（もしくは凹部）に順次係合させて多段階的に上下動できる。尚、カバーキャップ１１の天面部１１Ｂに設けたスライド孔１２の上下両エッジには、計量枡３１の外周面に密着して計量枡３１とスライド孔１２との間への内容物の噛み込みを防止するためのシール部１９Ａ、１９Ｂが設けられている。
【００２２】
即ち、計量枡３１は、カバーキャップ１１の外に位置する操作ヘッド部３１Ａに加えられる操作力により、カバーキャップ１１に対して上下動せしめられ、テーパ筒２１との間の挿入深度により定まる枡量（計量枡３１による１回の計量値）を変更可能とされる。このとき、計量枡３１の外面の軸方向複数位置には計量メモリ３４が付され、カバーキャップ１１の天面部１１Ｂに合致する計量メモリ３４により、現在の計量値（可変定量栓１０による排出定量値）を見ることができる。
【００２３】
従って、可変定量栓１０は以下の如くに用いられる。
(1) 容器１に内容物を充填し、容器１の開口部１Ａに可変定量栓１０を装着する。
【００２４】
(2) 計量枡３１の操作ヘッド部３１Ａを手指でつかんで該計量枡３１をカバーキャップ１１に対して上下動し、計量枡３１がテーパ筒２１との間の挿入深度により定める枡量を、今回所望の排出定量に見合う値に設定する。計量枡３１をカバーキャップ１１に対して引き上げれば、計量枡３１の挿入深度は浅くなり、枡量は増加する。この枡量の変化は、計量枡３１の外面に設けてある計量メモリ３４により見る。
【００２５】
(3) 容器１を倒立する（図３（Ａ））。これにより、容器１の内容物はテーパ筒２１の連通口２２から計量枡３１に入る。これにより、上記(2) により設定された枡量に相当する量の内容物が容器１から計量枡３１に流入して計量されるものとなる。
【００２６】
(4) 容器１を正立する（図（Ｂ））。これにより、上記(2) 、(3) により今回所望の排出定量に見合うように計量枡３１で計量された内容物が概ね（一部はテーパ筒２１の連通口２２から容器１に戻る）、テーパ筒２１のテーパ筒部２１Ｃ状に移入せしめられる。この移入量が、今回所望の排出定量に概ね合致するものとなる。
【００２７】
(5) 可変定量栓１０の排出口１３が下になるように傾ける（図３（Ｃ））。これにより、上記(4) によりテーパ筒２１に移入せしめられた、今回所望の排出定量の内容物が排出口１３から振り出される等により取り出されるものとなる。
【００２８】
本実施形態によれば、以下の如くの作用がある。
▲１▼可変定量栓１０からの排出定量値に見合う計量枡３１の枡量は、計量枡３１をカバーキャップ１１の外からカバーキャップ１１に対して上下動することにより変更できる。即ち、カバーキャップ１１を外すことなく、排出定量値を計量操作できる。
【００２９】
▲２▼排出定量値の計量は、計量枡３１をカバーキャップ１１に対して連続的もしくは多段階的に上下動することにより、連続的もしくは多段階に微調整できる。
【００３０】
▲３▼カバーキャップ１１の外面に対する計量枡３１の上下動量、換言すれば計量枡のキャップ上突出量により排出定量値の変化を見ることができる。従って、排出定量値の計量変化を実感としてつかみ易い。
【００３１】
▲４▼カバーキャップ１１の排出口１３のための開閉蓋１５をカバーキャップ１１に一体結合したので、カバーキャップ１１と別部品の開閉蓋１５を設ける必要がなく、可変定量栓１０の組立性を向上するとともに、コスト低減できる。
【００３３】
【発明の効果】
以上のように本発明によれば、可変定量栓において、カバーキャップを外すことなく排出定量値を計量操作でき、排出定量値の計量を微調整でき、しかも、排出定量値の計量変化を実感としてつかみ易いものとすることができる。
【図面の簡単な説明】
【図１】  図１は可変定量栓の小計量状態を示す模式図である。
【図２】  図２は可変定量栓の大計量状態を示す模式図である。
【図３】  図３は可変定量栓の使用状態を示す模式図である。
【図４】  図４は可変定量栓を示す模式図である。
【図５】  図５はテーパ筒を示す模式図である。
【図６】  図６は計量枡を示す模式図である。
【符号の説明】
１  容器
１Ａ  開口部
１０  可変定量栓
１１  カバーキャップ
１２ スライド孔
１３  排出口
１４ ヒンジ
１５  開閉蓋
１９Ａ、１９Ｂ シール部
２１  テーパ筒
２２  連通口
３１  計量枡
３２Ａ〜３２Ｃ 凹部
３３ 凸部
【図１】
0003748297.tif 000002
【図２】
0003748297.tif 000003
【図３】
0003748297.tif 000004
【図４】
0003748297.tif 000005
【図５】
0003748297.tif 000006
【図６】
0003748297.tif 000007